(57)【要約】【課題】店舗を活用した携帯用コンテンツ購入情報提供システム、携帯用コンテンツ購入情報提供方法、及びそのプログラムを提供する。【解決手段】携帯端末により２次元バーコードから店舗固有のドメインを読み取り、ドメインを読み取ったドメインに対応するコンテンツの送信要求を、コンテンツサーバに送信し、コンテンツサーバは受信したドメインに対応するコンテンツをコンテンツデータベースから抽出し、ネットワークを介して携帯端末にコンテンツを送信し、かつ抽出されたコンテンツに基づいて店舗別の各コンテンツの購入件数からなる販売コンテンツ情報を生成し、各店舗に提供することにより、該販売コンテンツ情報に基づいて各コンテンツの販売斡旋を行うことにより、店頭でのコンテンツの紹介に際し、よりユーザの要求を満たしたサービスを提供する。【選択図】図１
2007164678.tif 000002
【特許請求の範囲】
【請求項１】
コンテンツのドメイン名を含む２次元バーコードからなるコンテンツメニューが設置された販売店と、前記販売店ごとに前記コンテンツを管理し、通信ネットワークを介して前記コンテンツを配信する販売会社用のコンテンツサーバと、前記コンテンツの配信を受ける携帯端末とを有する携帯用コンテンツ購入情報提供システムにおいて、
前記携帯端末は、２次元バーコードから前記コンテンツのドメイン名を読み取る読取手段と、前記読取手段によって読み取った前記ドメイン名を前記コンテンツサーバに送信する送信手段とを有し、
前記コンテンツサーバは、前記通信ネットワークを介して前記ドメイン名を受信する受信手段と、前記受信手段によって受信した前記ドメイン名に基づいて前記コンテンツを抽出する抽出手段と、前記抽出手段によって抽出された前記コンテンツに対応する前記販売店ごとの前記各コンテンツの購入件数からなるコンテンツ購入情報を生成する販売コンテンツ情報生成手段とを有することを特徴とする携帯用コンテンツ購入情報提供システム。
【請求項２】
前記携帯端末は、２次元バーコードを撮影する撮影手段を有し、
前記読取手段は、前記撮影手段によって撮影された２次元バーコードの画像を解析することによって前記ドメイン名を読み取ることを特徴とする請求項１記載の携帯用コンテンツ購入情報提供システム。
【請求項３】
前記コンテンツサーバは、前記抽出手段によって抽出された前記コンテンツを前記携帯端末に配信する配信手段を有することを特徴とする請求項１又は２記載の携帯用コンテンツ購入情報提供システム。
【請求項４】
前記携帯端末は、
前記コンテンツサーバから前記コンテンツを獲得する獲得手段と、
前記獲得手段によって獲得した前記コンテンツを記憶する記憶手段とを有することを特徴とする請求項３記載の携帯用コンテンツ購入情報提供システム。
【請求項５】
前記携帯端末は、前記記憶手段に記憶された前記コンテンツを表示する表示手段を有することを特徴とする請求項４記載の携帯用コンテンツ購入情報提供システム。
【請求項６】
コンテンツのドメイン名を含む２次元バーコードからなるコンテンツメニューが設置された販売店と、前記販売店ごとに前記コンテンツを管理し、通信ネットワークを介して前記コンテンツを配信する販売会社用のコンテンツサーバと、前記コンテンツの配信を受ける携帯端末とを有する携帯用コンテンツ購入情報提供システムの携帯用コンテンツ購入情報提供方法において、
前記携帯端末は、２次元バーコードから前記コンテンツのドメイン名を読み取る読取工程と、前記読取工程によって読み取った前記ドメイン名を前記コンテンツサーバに送信する送信工程とを有し、
前記コンテンツサーバは、前記通信ネットワークを介して前記ドメイン名を受信する受信工程と、前記受信工程によって受信した前記ドメイン名に基づいて前記コンテンツを抽出する抽出工程と、前記抽出工程によって抽出された前記コンテンツに対応する前記販売店ごとの前記各コンテンツの購入件数からなるコンテンツ購入情報を生成する販売コンテンツ情報生成工程とを有することを特徴とする携帯用コンテンツ購入情報提供方法。
【請求項７】
前記携帯端末は、２次元バーコードを撮影する撮影工程を有し、
前記読取工程は、前記撮影工程によって撮影された２次元バーコードの画像を解析することによって前記ドメイン名を読み取ることを特徴とする請求項６記載の携帯用コンテンツ購入情報提供方法。
【請求項８】
前記コンテンツサーバは、前記抽出工程によって抽出された前記コンテンツを前記携帯端末に配信する配信工程を有することを特徴とする請求項６又は７記載の携帯用コンテンツ購入情報提供方法。
【請求項９】
前記携帯端末は、
前記コンテンツサーバから前記コンテンツを獲得する獲得工程と、
前記獲得工程によって獲得した前記コンテンツを記憶する記憶工程とを有することを特徴とする請求項８記載の携帯用コンテンツ購入情報提供方法。
【請求項１０】
前記携帯端末は、前記記憶工程において記憶した前記コンテンツを表示する表示工程を有することを特徴とする請求項９記載の携帯用コンテンツ購入情報提供方法。
【請求項１１】
コンテンツのドメイン名を含む２次元バーコードからなるコンテンツメニューが設置された販売店と、前記販売店ごとに前記コンテンツを管理し、通信ネットワークを介して前記コンテンツを配信する販売会社用のコンテンツサーバと、前記コンテンツの配信を受ける携帯端末とを有する携帯用コンテンツ購入情報提供システムのプログラムにおいて、
前記携帯端末は、２次元バーコードから前記コンテンツのドメイン名を読み取る読取処理と、前記読取処理によって読み取った前記ドメイン名を前記コンテンツサーバに送信する送信処理とを有し、
前記コンテンツサーバは、前記通信ネットワークを介して前記ドメイン名を受信する受信処理と、前記受信処理によって受信した前記ドメイン名に基づいて前記コンテンツを抽出する抽出処理と、前記抽出処理によって抽出された前記コンテンツに対応する前記販売店ごとの前記各コンテンツの購入件数からなるコンテンツ購入情報を生成する販売コンテンツ情報生成処理とを有することを特徴とするプログラム。
【請求項１２】
前記携帯端末は、２次元バーコードを撮影する撮影処理を有し、
前記読取処理は、前記撮影処理によって撮影された２次元バーコードの画像を解析することによって前記ドメイン名を読み取ることを特徴とする請求項１１記載のプログラム。
【請求項１３】
前記コンテンツサーバは、前記抽出処理によって抽出された前記コンテンツを前記携帯端末に配信する配信処理を有することを特徴とする請求項１１又は１２記載のプログラム。
【請求項１４】
前記携帯端末は、
前記コンテンツサーバから前記コンテンツを獲得する獲得処理と、
前記獲得処理によって獲得した前記コンテンツを記憶する記憶処理とを有することを特徴とする請求項１３記載のプログラム。
【請求項１５】
前記携帯端末は、前記記憶処理において記憶した前記コンテンツを表示する表示処理を有することを特徴とする請求項１４記載のプログラム。
【発明の詳細な説明】
【技術分野】
【０００１】
本発明は、携帯用コンテンツ購入情報提供システム、携帯用コンテンツ購入情報提供方法、及びそのプログラムに関し、特に、店舗を活用した携帯用コンテンツ購入情報提供システム、携帯用コンテンツ購入情報提供方法、及びそのプログラムに関する。
【背景技術】
【０００２】
近年、通信機器等のように、比較的複雑な機能を有するが故に商品説明や商品展示が非常に重要である商品についても、最近ではユーザが自宅のパソコン等から直接、購入申込が可能であるオンライン販売方式が増加している。
【０００３】
しかし、複雑な機能を有する商品等を購入する場合、ユーザは商品の選定や購入に迷うことがある。そこで、携帯電話販売店舗等への来店した購入希望者に対し、店舗販売員の説明などによる購入斡旋により、商品の選択から購入まで過程において購入者をサポートすることができる。更には、利用者層の裾野を広げることにも繋がる。
【０００４】
特許文献１では、通信ネットワークを介して情報を授受可能なサーバ装置、及び購入申込用の端末装置を含む商品販売システムであって、端末装置は、所望の商品の購入申込情報の入力を促すと共に該商品に対する販売店を特定するための販売店特定情報の入力を促す入力手段と、これにより入力された情報を送信する通信手段を有し、サーバ装置は、受信された販売店特定情報を商品に対応付けて格納する格納手段と、該格納された情報を統計処理することで商品の販売促進について販売店に支払うべきバックマージンの算出を行う統計処理手段とを有する商品販売システム及び方法、サーバ装置、及び端末装置並びにコンピュータプログラムが提案されている。
【特許文献１】特開２００４−０８６３７８号公報
【発明の開示】
【発明が解決しようとする課題】
【０００５】
しかし、上記の発明は以下の問題を有している。
【０００６】
特許文献１記載の発明によれば、通信ネットワークを介して情報を授受可能なサーバ装置、及び購入申込用の端末装置を含む商品販売システムであって、端末装置は、所望の商品の購入申込情報の入力を促すと共に該商品に対する販売店を特定するための販売店特定情報の入力を促す入力手段と、これにより入力された情報を送信する通信手段を有し、サーバ装置は、受信された販売店特定情報を商品に対応付けて格納する格納手段と、該格納された情報を統計処理することで商品の販売促進について販売店に支払うべきバックマージンの算出を行う統計処理手段とを有することにより、労力及び金銭を費やした商品説明及び商品展示に対する利益がもたらされるが、販売店は購入を斡旋した各商品がどれだけ購入されたのかを知ることができないため、店舗ごとの購入内訳を参考にして商品の販売戦略を立てることができなかった。
【０００７】
そこで、本発明は、携帯端末により２次元バーコードから店舗固有のドメインを読み取り、ドメインを読み取ったドメインに対応するコンテンツの送信要求を、コンテンツサーバに送信し、コンテンツサーバは受信したドメインに対応するコンテンツをコンテンツデータベースから抽出し、ネットワークを介して携帯端末にコンテンツを送信し、かつ抽出されたコンテンツに基づいて店舗別の各コンテンツの購入件数からなる販売コンテンツ情報を生成し、各店舗に提供する携帯用コンテンツ購入情報提供システム、携帯用コンテンツ購入情報提供方法、及びそのプログラムを提案することを目的としている。
【課題を解決するための手段】
【０００８】
請求項１記載の発明は、コンテンツのドメイン名を含む２次元バーコードからなるコンテンツメニューが設置された販売店と、前記販売店ごとに前記コンテンツを管理し、通信ネットワークを介して前記コンテンツを配信する販売会社用のコンテンツサーバと、前記コンテンツの配信を受ける携帯端末とを有する携帯用コンテンツ購入情報提供システムにおいて、前記携帯端末は、２次元バーコードから前記コンテンツのドメイン名を読み取る読取手段と、前記読取手段によって読み取った前記ドメイン名を前記コンテンツサーバに送信する送信手段とを有し、前記コンテンツサーバは、前記通信ネットワークを介して前記ドメイン名を受信する受信手段と、前記受信手段によって受信した前記ドメイン名に基づいて前記コンテンツを抽出する抽出手段と、前記抽出手段によって抽出された前記コンテンツに対応する前記販売店ごとの前記各コンテンツの購入件数からなるコンテンツ購入情報を生成する販売コンテンツ情報生成手段とを有することを特徴とする。
【０００９】
請求項２記載の発明は、請求項１記載の携帯用コンテンツ購入情報提供システムにおいて、前記携帯端末は、２次元バーコードを撮影する撮影手段を有し、前記読取手段は、前記撮影手段によって撮影された２次元バーコードの画像を解析することによって前記ドメイン名を読み取ることを特徴とする。
【００１０】
請求項３記載の発明は、請求項１又は２記載の携帯用コンテンツ購入情報提供システムにおいて、前記コンテンツサーバは、前記抽出手段によって抽出された前記コンテンツを前記携帯端末に配信する配信手段を有することを特徴とする。
【００１１】
請求項４記載の発明は、請求項３記載の携帯用コンテンツ購入情報提供システムにおいて、前記携帯端末は、前記コンテンツサーバから前記コンテンツを獲得する獲得手段と、前記獲得手段によって獲得した前記コンテンツを記憶する記憶手段とを有することを特徴とする。
【００１２】
請求項５記載の発明は、請求項４記載の携帯用コンテンツ購入情報提供システムにおいて、前記携帯端末は、前記記憶手段に記憶された前記コンテンツを表示する表示手段を有することを特徴とする。
【００１３】
請求項６記載の発明は、コンテンツのドメイン名を含む２次元バーコードからなるコンテンツメニューが設置された販売店と、前記販売店ごとに前記コンテンツを管理し、通信ネットワークを介して前記コンテンツを配信する販売会社用のコンテンツサーバと、前記コンテンツの配信を受ける携帯端末とを有する携帯用コンテンツ購入情報提供システムの携帯用コンテンツ購入情報提供方法において、前記携帯端末は、２次元バーコードから前記コンテンツのドメイン名を読み取る読取工程と、前記読取工程によって読み取った前記ドメイン名を前記コンテンツサーバに送信する送信工程とを有し、前記コンテンツサーバは、前記通信ネットワークを介して前記ドメイン名を受信する受信工程と、前記受信工程によって受信した前記ドメイン名に基づいて前記コンテンツを抽出する抽出工程と、前記抽出工程によって抽出された前記コンテンツに対応する前記販売店ごとの前記各コンテンツの購入件数からなるコンテンツ購入情報を生成する販売コンテンツ情報生成工程とを有することを特徴とする。
【００１４】
請求項７記載の発明は、請求項６記載の携帯用コンテンツ購入情報提供方法において、前記携帯端末は、２次元バーコードを撮影する撮影工程を有し、前記読取工程は、前記撮影工程によって撮影された２次元バーコードの画像を解析することによって前記ドメイン名を読み取ることを特徴とする。
【００１５】
請求項８記載の発明は、請求項６又は７記載の携帯用コンテンツ購入情報提供方法において、前記コンテンツサーバは、前記抽出工程によって抽出された前記コンテンツを前記携帯端末に配信する配信工程を有することを特徴とする。
【００１６】
請求項９記載の発明は、請求項８記載の携帯用コンテンツ購入情報提供方法において、前記携帯端末は、前記コンテンツサーバから前記コンテンツを獲得する獲得工程と、前記獲得工程によって獲得した前記コンテンツを記憶する記憶工程とを有することを特徴とする。
【００１７】
請求項１０記載の発明は、請求項９記載の携帯用コンテンツ購入情報提供方法において、前記携帯端末は、前記記憶工程において記憶した前記コンテンツを表示する表示工程を有することを特徴とする。
【００１８】
請求項１１記載の発明は、コンテンツのドメイン名を含む２次元バーコードからなるコンテンツメニューが設置された販売店と、前記販売店ごとに前記コンテンツを管理し、通信ネットワークを介して前記コンテンツを配信する販売会社用のコンテンツサーバと、前記コンテンツの配信を受ける携帯端末とを有する携帯用コンテンツ購入情報提供システムのプログラムにおいて、前記携帯端末は、２次元バーコードから前記コンテンツのドメイン名を読み取る読取処理と、前記読取処理によって読み取った前記ドメイン名を前記コンテンツサーバに送信する送信処理とを有し、前記コンテンツサーバは、前記通信ネットワークを介して前記ドメイン名を受信する受信処理と、前記受信処理によって受信した前記ドメイン名に基づいて前記コンテンツを抽出する抽出処理と、前記抽出処理によって抽出された前記コンテンツに対応する前記販売店ごとの前記各コンテンツの購入件数からなるコンテンツ購入情報を生成する販売コンテンツ情報生成処理とを有することを特徴とする。
【００１９】
請求項１２記載の発明は、請求項１１記載のプログラムにおいて、前記携帯端末は、２次元バーコードを撮影する撮影処理を有し、前記読取処理は、前記撮影処理によって撮影された２次元バーコードの画像を解析することによって前記ドメイン名を読み取ることを特徴とする。
【００２０】
請求項１３記載の発明は、請求項１１又は１２記載のプログラムにおいて、前記コンテンツサーバは、前記抽出処理によって抽出された前記コンテンツを前記携帯端末に配信する配信処理を有することを特徴とする。
【００２１】
請求項１４記載の発明は、請求項１３記載のプログラムにおいて、前記携帯端末は、前記コンテンツサーバから前記コンテンツを獲得する獲得処理と、前記獲得処理によって獲得した前記コンテンツを記憶する記憶処理とを有することを特徴とする。
【００２２】
請求項１５記載の発明は、請求項１４記載のプログラムにおいて、前記携帯端末は、前記記憶処理において記憶した前記コンテンツを表示する表示処理を有することを特徴とする。
【発明の効果】
【００２３】
本発明は、携帯端末により２次元バーコードから店舗固有のドメインを読み取り、ドメインを読み取ったドメインに対応するコンテンツの送信要求を、コンテンツサーバに送信し、コンテンツサーバは受信したドメインに対応するコンテンツをコンテンツデータベースから抽出し、ネットワークを介して携帯端末にコンテンツを送信し、かつ抽出されたコンテンツに基づいて店舗別の各コンテンツの購入件数からなる販売コンテンツ情報を生成し、各店舗に提供することにより、該販売コンテンツ情報に基づいて各コンテンツの販売斡旋を行うことにより、店頭でのコンテンツの紹介に際し、よりユーザの要求を満たしたサービスを提供することができる。
【発明を実施するための最良の形態】
【００２４】
以下、本発明の一実施形態に係わる携帯用コンテンツ購入登録システムの構成及び動作について説明する。
【００２５】
本実施形態に係わる携帯用コンテンツ購入登録システムは、コンテンツサーバ３００、及び携帯端末２００を有して構成される。また、図１に示すように、携帯用コンテンツ購入登録システムにおいて、コンテンツサーバ３００、及び携帯端末２００は、インターネット等のネットワーク４００を介して接続される。
【００２６】
携帯端末２００は、ユーザが使用する端末であり、具体的には、携帯電話機やＰＤＡ等の携帯可能な端末である。以下、本実施形態では、携帯端末２００が携帯電話機である場合を例に説明する。なお、図１においては、携帯用コンテンツ購入登録システムが１つの携帯端末２００を含む場合について説明するが、携帯用コンテンツ購入登録システムは、複数の携帯端末２００を含んでもよい。携帯端末２００は、２次元バーコード読取手段２０１、コンテンツ獲得手段２０２、コンテンツ表示手段２０３、ドメイン送信手段２０４、記憶手段２０５、及び通信手段２０６を有して構成される。
【００２７】
２次元バーコード読取手段２０１は、具体的には、プログラムに従って動作するＣＰＵによって実現される。本実施形態においては、携帯端末２００は、例えば、ＲＦＩＤリーダ等の読取装置を搭載する。２次元バーコード読取手段２０１は、読取装置を介して、店舗等に設置されたコンテンツメニュー１０１に含まれる２次元バーコード１０２からデータを読み込む機能を備える。また、携帯端末２００は、例えば、２次元バーコードを解析する機能を備える。本実施形態では、２次元バーコード読取手段２０１は、２次元バーコード１０２から、該２次元バーコードに対応するコンテンツ１０２を識別するドメインを読み取る。
【００２８】
例えば、コンテンツメニュー１０１に含まれる２次元バーコードを読み取るとき、２次元バーコード読取手段２０１は、コンテンツメニュー１０１に含まれる２次元バーコードを、携帯電話機が搭載するカメラに撮影させる。また、２次元バーコード読取手段２０１は、撮影画像に基づいて２次元バーコードを解析し、該２次元バーコードに対応するコンテンツ１０２のドメインを求める。例えば、２次元バーコード読取手段２０１は、携帯電話機が搭載するアプリケーションソフトウェアを用いて、２次元バーコードを解析する。
【００２９】
通信手段２０６は、携帯端末２００のネットワークインタフェース部によって実現される。通信手段２０６は、例えば、携帯端末２００が携帯電話機である場合、株式会社エヌ・ティ・ティ・ドコモが提供するｉモード（登録商標）等のサービスを利用して、インターネット等のネットワーク４００を介して通信を行う機能を備える。
【００３０】
ドメイン送信手段２０４、コンテンツ獲得手段２０２、及びコンテンツ表示手段２０３は、携帯電話機が搭載するアプリケーションソフトウェアである。ドメイン送信手段２０４は、２次元バーコード読取手段２０１が読み込んだデータを、通信手段２０６を用いて、ネットワーク４００を介してコンテンツサーバ３００に送信する機能を備える。
【００３１】
なお、本実施形態では、「ドメイン送信手段２０４が送信する」等の表現を用いるが、実際には、携帯端末２００のＣＰＵがアプリケーションソフトウェアであるドメイン送信手段２０４に従って処理を実行する。このことは、他のアプリケーションソフトウェアによって実現される携帯端末２００の手段についても同様である。
【００３２】
コンテンツ獲得手段２０２は、通信手段２０６を用いて、ネットワーク４００を介して、コンテンツの送信要求をコンテンツサーバ３００に送信する機能を備える。また、コンテンツ獲得手段２０２は、通信手段２０６を用いて、ネットワーク４００を介して、コンテンツサーバ３００からコンテンツを受信する機能を備える。また、コンテンツ獲得手段２０２は、受信したコンテンツを記憶手段２０５に記憶させる機能を備える。
【００３３】
コンテンツ表示手段２０２は、ユーザの指示操作に従って、記憶手段２０５からコンテンツを抽出する機能を備える。また、コンテンツ表示手段２０２は、受信したコンテンツに基づいて、各種表示画面や映像を液晶表示部等の表示部（図示せず）に表示させる機能を備える。また、コンテンツ表示手段２０２は、受信したコンテンツに基づいて、音声をスピーカ等の音声出力部（図示せず）に出力させる機能を備える。
【００３４】
記憶手段２０５は、具体的には、携帯電話機のメモリ等の記憶装置によって実現される。本実施形態では、記憶手段２０５は、コンテンツを記憶する。
【００３５】
コンテンツサーバ３００は、インターネットに接続されるＷｅｂサーバやアプリケーションである。コンテンツサーバ３００は、コンテンツホルダである事業者によって運営され、具体的には、ワークステーションやパーソナルコンピュータ等の情報処理装置によって実現される。なお、コンテンツサーバ３００は、コンテンツホルダに代行して各コンテンツを販売する事業者が運営するサーバであってもよい。図１に示すように、コンテンツサーバ３００は、通信手段３０１、コンテンツ送出手段３０２、販売コンテンツ情報生成手段３０３、及びコンテンツデータベース３０４を有して構成される。
【００３６】
通信手段３０１は、具体的には、コンテンツサーバ３００のネットワークインタフェース部によって実現される。通信手段３０１は、インターネット等のネットワーク４００を介して携帯端末２００と通信を行う機能を備える。
【００３７】
通信手段３０１は、携帯端末２００からネットワーク４００を介してコンテンツの送信要求を受信する機能を備える。また、通信手段３０１は、コンテンツの送信要求とともに、携帯端末２００から該コンテンツに対応するドメインを、ネットワーク４００を介して受信する機能を備える。
【００３８】
また、通信手段３０１は、受信したドメインに基づいて、送信要求されたコンテンツ３１１をコンテンツデータベース３０４から抽出する機能を備える。
【００３９】
なお、本実施形態では、「通信手段３０１が受信する」などの表現を用いるが、実際には、コンテンツサーバ３００のＣＰＵが、アプリケーションソフトウェアである通信手段３０１に従って処理を実行する。このことは、他のアプリケーションソフトウェアによって実現されるコンテンツサーバ３００の手段についても同様である。
【００４０】
コンテンツ送出手段３０２、及び販売コンテンツ情報生成手段３０３は、具体的には、コンテンツサーバ３００が搭載するアプリケーションソフトウェアによって実現される。
【００４１】
コンテンツ送出手段３０２は、コンテンツデータベース３０４からコンテンツ３１１を抽出する機能を有する。また、コンテンツ送出手段３０２は、通信手段３０１を用いて、コンテンツ３１１を、ネットワーク４００を介して携帯端末２００に送信する機能を有する。
【００４２】
販売コンテンツ情報生成手段３０３は、コンテンツデータベース３０４に記憶されたコンテンツ３１１に基づいて、各店舗の各コンテンツ３１１の購入件数からなる販売コンテンツ情報（図２に示す）を店舗ごとに生成し、各店舗に提供する。
【００４３】
コンテンツデータベース３０４は、コンテンツサーバ３００が備える大容量記憶装置であり、具体的には、ハードディスク装置等の記憶装置によって実現される。コンテンツデータベース３０４は、予めコンテンツ３１１を複数蓄積する。なお、本実施形態において、コンテンツデータベース３０４は、図３に示すように、店舗別にコンテンツを保持している。通信手段３０１は、受信した店舗固有のドメインに基づいてコンテンツを抽出する。
【００４４】
次に、本実施形態に係わる携帯用コンテンツ購入登録システムの動作について図５を用いて説明する。
【００４５】
本実施形態において、コンテンツサーバ３００を運営するコンテンツホルダは、コンテンツの販売協力を受けるために予め店舗１００と契約を締結している。店舗１００は、図４に示すように、コンテンツホルダが販売するコンテンツ３１１を識別するドメインが含まれる２次元バーコードを一覧表（コンテンツメニュー）としてユーザに提供することにより、コンテンツホルダに対して販売協力を行う。なお、２次元バーコードから読み取られるドメインは、各コンテンツについて店舗固有のものである。なお、コンテンツホルダは、１つの店舗１００に限らず、複数の店舗１００と契約しコンテンツの販売協力を受けてもよい。
【００４６】
まず、ユーザは店舗１００でコンテンツメニュー１０１のコンテンツ１０２を見て、コンテンツ１０２に関連するコンテンツを入手したい場合、携帯端末２００を操作して、コンテンツ１０２に付加されている２次元バーコードを読み取らせる。例えば、ユーザは、コンテンツ１０２に添付されている２次元バーコードを、携帯端末２００が搭載するカメラを用いて撮影する。
【００４７】
携帯端末２００の２次元バーコード読取手段２０１は、ユーザの操作に従って、２次元バーコードから店舗固有のドメインを読み取る（ステップＳ５０１）。具体的には、２次元バーコード読取手段２０１は、携帯端末２００が搭載するカメラに２次元バーコードを撮影させ、２次元バーコードの撮影画像を解析して店舗固有のドメインを求める。
【００４８】
ドメインを読み取ると、ドメイン送信手段２０４は、コンテンツ１０２に関連するコンテンツ３１１の送信要求を、ネットワーク４００を介してコンテンツサーバ３００に送信する（ステップＳ５０２）。この場合、ドメイン送信手段２０４は、２次元バーコード読取手段２０１が読み込んだドメインに基づいて、コンテンツ３１１の送信要求をコンテンツサーバ３００に送信する。
【００４９】
コンテンツ３１１の送信要求を受信すると、コンテンツサーバ３００の通信手段３０１は、受信したドメインに対応するコンテンツ３１１をコンテンツデータベース３０４から抽出する（ステップＳ５０３）。
【００５０】
受信したドメインに対応するコンテンツ３１１がコンテンツデータベース３０４から抽出されると（ステップＳ５０３）、コンテンツサーバ３００はコンテンツサイト購入画面を購入側携帯端末２００に表示する（ステップＳ５０４）。携帯端末２００のユーザは、携帯端末２００を操作して、購入画面に従い購入登録を行う（ステップＳ５０５）。
【００５１】
コンテンツサーバ３００は、携帯端末２００からのコンテンツ３１１の購入登録を確認すると（ステップＳ５０６）、ネットワーク４００を介して携帯端末２００にコンテンツ３１１を送信する（ステップＳ５０７）。
【００５２】
また、コンテンツサーバ３００において、携帯端末２００からのコンテンツ３１１の購入登録を確認されると（ステップＳ５０６）、販売コンテンツ情報生成手段３０３は、ステップＳ５０３において抽出されたコンテンツ３１１に基づいて店舗別の各コンテンツの購入件数からなる販売コンテンツ情報（図２に示す）を更新する（ステップＳ５０８）。なお、販売コンテンツ情報生成手段３０３によって生成される店舗ごとの販売コンテンツ情報は、店舗１００からの要求に応じて各店舗に提供される。
【００５３】
上述の動作によれば、店舗１００はコンテンツサーバ３００において生成された販売コンテンツ情報の提供を受けて、該販売コンテンツ情報に基づいて各コンテンツの販売斡旋を行うことにより、店頭でのコンテンツの紹介に際し、よりユーザの要求を満たしたサービスを提供することができる。また、店舗別に販売コンテンツ情報が管理されているため、コンテンツの購入件数に応じた報酬をコンテンツホルダから受け取ることができる。
【図面の簡単な説明】
【００５４】
【図１】本実施形態に係わる携帯用コンテンツ購入登録システムの構成を示すブロック図である。
【図２】携帯用コンテンツ購入登録システムによって生成される店舗別の販売コンテンツ情報である。
【図３】コンテンツサーバに保持される店舗別のコンテンツを示すブロック図である。
【図４】店舗に設置されるコンテンツメニューの一覧表である。
【図５】本実施形態に係わる携帯用コンテンツ購入登録システムの動作を示すシーケンス図である。
【符号の説明】
【００５５】
１００    店舗
１０１    コンテンツメニュー
１０２    コンテンツ
２００    携帯端末
２０１    ２次元バーコード読取手段
２０２    コンテンツ獲得手段
２０３    コンテンツ表示手段
２０４    ドメイン送信手段
２０５    記憶手段
２０６、３０１    通信手段
３００    コンテンツサーバ
３０２    コンテンツ送出手段
３０３    販売コンテンツ情報生成手段
３０４    コンテンツデータベース
３１１    店舗別コンテンツ
４００    ネットワーク
【図１】
2007164678.tif 000003
【図２】
2007164678.tif 000004
【図３】
2007164678.tif 000005
【図４】
2007164678.tif 000006
【図５】
2007164678.tif 000007